【事件の表示】
　平成４年特許願第５０５８２３号「移動電話システムのベースステーションにおけるスーパーバイズ信号の識別方法」拒絶査定に対する審判事件［平成４年１０月１日国際公開、ＷＯ９２／１７００５、平成５年１０月２８日国内公表、特表平５−５０７６０３］について、次のとおり審決する。
【結　論】
　本件審判の請求は、成り立たない。
【理　由】
１．手続の経緯・本願発明
  本願は、平成４年３月１９日（パリ条約に基づく優先権主張外国庁受理１９９１年３月２１日、フィンランド国）を国際出願日とする出願であって、その請求項１に係る発明は、手続補正書により補正された明細書及び図面の記載からみて、その特許請求の範囲の請求項１に記載された次の事項により特定されるものである。
「移動電話システムおいてベースステーションにおけるスーパーバイズ信号を識別する方法であって、ベースステーションと移動無線ステーションとの間の無線連結の品質が異なる周波数の複数のスーパーバイズ信号によってモニターされる前記方法において、前記方法が
あるベースステーションからある移動ステーションに所定の周波数のスーパーバイズ信号を送信し、
　該スーパーバイズ信号を前記移動ステーションで中継し、
前記１つのベースステーションにおいて前記所定の周波数に同調されたバンドパスフィルタによって前記受信されたスーパーバイズ信号を帯域濾波し、
前記１つのベースステーションにおいて前記帯域濾波されたスーパーバイズ信号のレベルに基づいて前記スーパーバイズ信号を識別するステップを有しており、
　前記１つのベースステーションで識別するステップが、前記帯域濾波されたスーパーバイズ信号のレベルを判別し、
受信されたノイズのレベルを判別し、該帯域濾波されたスーパーバイズ信号のレベルと受信されたノイズのレベルとを比較し、
前記帯域濾波されたスーパーバイズ信号のレベルの前記受信されたノイズのレベルに対する比が所定のしきい値を越える場合には、受信されたスーパーバイズ信号が所望のものであると認識するステップを有することを特徴とする方法。」（なお、「ノイズのレベレに対する比」は、「ノイズのレベルに対する比」の誤記であると認定した。）
２．引用例記載の発明
　これに対して、原査定の拒絶理由に引用された各引用例には、以下の事項が記載されている。
Ａ．特開昭６１−２１９２３２号公報（以下、引用例１という）
（１）「移動体通信方式に用いられるスーパバイザリ・オーディオ・トーン信号を受信し識別する移動機のスーパバイザリ・オーディオ・トーン信号検出装置において、受信波中からスーパバイザリ・オーディオ・トーン信号を抽出するためのディジタル位相同期回路（１１）、スーパバイザリ・オーディオ・トーン信号として予め割り合てられた複数の周波数にそれぞれ対応した複数の基準周波数波を発生する基準周波数波発生回路（１２）、回線接続時に制御チャネルを介して基地局から送られてくるコード情報に基づいて受信されるべきスーパバイザリ・オーディオ・トーン信号の周波数を該基準周波数波発生回路から選択して該ディジタル位相同期回路にマスター・クロックとして供給する選択回路（１３）、および、該ディジタル位相同期回路で抽出されたスーパバイザリ・オーディオ・トーン信号の周波数と、該基地局から送られてきたコード情報に基づき得られる受信されるべき周波数とを照合し、その一致、不一致によりスーパバイザリ・オーディオ・トーンの受信が正常か否かを判定する判定回路（１４）、を備えたスーパバイザリ・オーディオ・トーン信号検出装置。」（第１頁左下欄第６行乃至右下欄第１１行、特許請求の範囲の記載から抽出）
（２）「本発明は移動体通信方式の移動機に備えられるスーパバイザリ・オーディオ・トーン（ＳＡＴ）信号検出装置に関する。本発明のＳＡＴ信号検出装置は、例えば自動車電話機、携帯電話機などに用いられる。」（第２頁左上欄第２行乃至第６行から抽出）
（３）「例えばセルラ方式自動車電話などの移動体通信方式では、基地局と移動機との間の通信回線の状態は、通信チャネルの音声帯域外（例えば６ｋＨｚ帯）に重畳されたＳＡＴ信号を用いて常に監視されており、移動機が他のセルへ移動するなどして回線品質が低下すると移動先セル内基地局へ回線の受け渡しが行われる。」（第２頁左上欄第７行乃至第１３行から抽出）
（４）「ＳＡＴ信号としては各セル間の同一周波数混信などを避けるため複数、例えば３種類（５７９０Ｈｚ，６０００Ｈｚ，６０３０Ｈｚ）の周波数が使用されており、移動機は受信波中からＳＡＴ信号を抽出、識別再生して受信チャネルの良否を判別するとともに、それをさらに基地局に送り返す。基地局は返送されたＳＡＴ信号の周波数、歪率、ジッタなどを測定して通信回線の品質状態を監視する。」（第２頁左上欄第１４行乃至右上欄第１行から抽出）
（５）「ＳＡＴ信号検出回路４においは（「おいては」の誤記）、受信回路１からの受信出力は、ＳＡＴ信号帯域（６ｋＨｚ帯）を通過させる帯域フィルタ４１を経てディジタル位相同期回路４２に導かれる。ディジタル位相同期回路４２は位相比較器４２１、シーケンシャル・フィルタ４２２、分周数選択器４２３、Ｍ分周器４２４、および（Ｌ−１）、（Ｌ）、（Ｌ＋１）分周器４２５を含み構成されており、Ｍ分周器４２４の出力からＳＡＴ信号周波数の発振出力が得られる。」（第３頁左下欄第８行乃至第１６行から抽出）
（６）「ディジタル位相同期回路４２からの出力、すなわちＳＡＴ信号はさらに位相器５、送信回路７、およびアンテナを経て基地局に返送される。」（第４頁左上欄第１９行乃至右上欄第１行から抽出）
（７）「ディジタル位相同期回路４２が正常に位相同期して同期出力を送出するのならば、基地局が予め伝えてきたＳＡＴ信号周波数と実際に受信されたＳＡＴ信号周波数とが一致していることになり、したがって通信が正常な通話チャネルを介して問題なく行われていると判断できる。そして、上記の判断はさらにカウンタ４３、照合回路４４およびカラーコード識別器４９により確認される。」（第４頁左上欄第１０行乃至第１８行から抽出）
　上記のＡ．の各事項を参照すると、上記引用例１には、
　移動体通信方式において移動機におけるスーパバイザリ・オーディオ・トーン信号を受信し識別する方法であって、基地局と移動機との間の通信回線の品質状態が通信チャネルの音声帯域外に重畳された３種類の周波数のスーパバイザリ・オーディオ・トーン信号によって監視される方法において、前記方法が
　ある基地局からある移動局に所定の周波数のスーパバイザリ・オーディオ・トーン信号を送信し、
　移動機において、受信回路１からの受信出力はスーパバイザリ・オーディオ・トーン信号の信号帯域を通過させる帯域フィルタ４１を経てディジタル位相同期回路４２に導かれ、ディジタル位相同期回路４２は位相比較器４２１、シーケンシャル・フィルタ４２２、分周数選択機４２３、Ｍ分周器４２４、および（Ｌ−１）、（Ｌ）、（Ｌ＋１）分周器４２５を含み構成され、Ｍ分周器４２４の出力からスーパバイザリ・オーディオ・トーン信号周波数の発振出力を得て、このディジタル位相同期回路４２からの出力であるスーパバイザリ・オーディオ・トーン信号はさらに位相器５、送信回路７、およびアンテナを経て、移動機が、受信波中から、該スーパバイザリ・オーディオ・トーン信号を抽出、識別再生して、基地局に返送し、
　基地局において、移動機から返送されたスーパバイザリ・オーディオ・トーン信号の周波数、歪率、ジッタなどを測定して通信回線の品質状態を監視し、
　更に、移動機において、ディジタル位相同期回路４２からの出力であるスーパバイザリ・オーディオ・トーン信号は、カウンタ４３、照合回路４４およびカラーコード識別器４９により、基地局が予め伝えてきたＳＡＴ信号周波数と実際に受信されたＳＡＴ信号周波数とが一致していることの確認がなされる方法の発明（以下、引用例１記載の発明という）が記載されていると認められる。
Ｂ．特開昭６１−３０１３８号公報（以下、引用例２という）
（１）「相互に異なる複数の通話チャネルによつて移動局と通信可能な複数の基地局のゾーンの一部が相互に隣接する基地局のゾーンと重複して配置されていて、移動局が各基地局のゾーンをまたがつて移動する際に、当該移動局と通話中の基地局が当該移動局との通信に使用中のチャネルの信号対雑音比および当該基地局のチャネル使用率を監視し、通常は信号対雑音比が第１の基準値より低下したときに隣接する他の基地局のチャネルに切替え接続させるようにし、当該基地局のチャネル使用率が一定値以上になつた場合は、信号対雑音比が前記第１の基準値より高い第２の基準値によつて隣接基地局のチャネルに切替え接続させるようにすることを特徴とする移動無線チャネル切替方法。」（第１頁左下欄第５行乃至第１９行、特許請求の範囲の記載から抽出）
（２）「本発明は、複数の基地局のゾーン間を移動する移動局の通話チャネルを隣接基地局間で切替えることにより、移動局が継続的に通話可能とするための移動無線チャネル切替方法に関する。」（第１頁右下欄第２行乃至第５行から抽出）
（３）「従来、移動局８と基地局１とのチャネルＡによる接続を、移動局８と基地局２のチャネルＢによる接続に切替えるためのチャネル切替えは、先ず、基地局１でチャネルＡの信号対雑音比Ｓ／Ｎを監視していて、移動局８がゾーン４内を矢印に示す方向に移動してゾーン境界に近づき信号対雑音比Ｓ／Ｎが一定の基準値以下に低下したことを検出すると統括局７にチャネル切替要求を送信する。統括局７は、この切替要求信号を受信すると、基地局１およびその周辺の他の基地局２，３等にチャネルＡの信号対雑音比監視命令（Ｓ／Ｎ監視命令）を出し、各基地局はＳ／Ｎ監視用受信機を使用してチャネルＡの信号対雑音比Ｓ／Ｎを監視してそのデータを統括局７に報告する。そして、統括局７は信号対雑音比Ｓ／Ｎが最も高い（良い）基地局、例えば基地局２の空きチャネルを探し、例えばチャネルＢに切替えるように基地局１を介して移動局８に通知し、同時に基地局２にはチャネルＢの接続命令を出す。移動局８はチャネルＢに切替えると基地局２に接続されて、継続して通信を行なうことができる。その後、基地局１は統括局７からチャネルＡ切断命令によつて当該移動局へのチャネルＡの送信を切断し、チャネルＡは空きチャネルとなる。」（第１頁右下欄第１９行乃至第２頁右上欄第２行から抽出）
（４）「本発明の移動無線チャネル切替方法は、相互に異なる複数の通話チャネルによつて移動局と通信可能な複数の基地局のゾーンの一部が相互に隣接する基地局のゾーンと重複して配置されていて、移動局が各基地局のゾーンをまたがつて移動する際に、当該移動局と通話中の基地局が当該移動局との通信に使用中のチャネルの信号対雑音比および当該基地局のチャネル使用率を監視し、通常は信号対雑音比が第１の基準値より低下したときに隣接する他の基地局のチャネルに切替え接続させるようにし、当該基地局のチャネル使用率が一定値以上になつた場合は、信号対雑音比が前記第１の基準値より高い第２の基準値によつて隣接基地局のチャネルに切替え接続させるようにすることを特徴とする。」（第２頁左下欄第１０行乃至右下欄第４行から抽出）
　上記Ｂ．の各事項を参照すると、引用例２には、周波数が異なる複数の通話チャネルによつて移動局と通信可能な複数の基地局のゾーンの一部が相互に隣接する基地局のゾーンと重複して配置されていて、移動局が各基地局のゾーンをまたがって移動する際に、移動局と通話中の基地局が、Ｓ／Ｎ監視用受信機を使用して、当該移動局と通話中の移動局との通信に使用中のチャネルの信号対雑音比を監視し、通話チャネルの信号対雑音比を基準値と比較して、通信チャネルの切替を行う移動無線チャネル切替方法の発明（以下、引用例２記載の発明という）が記載されていると認められる。
３．対比
　そこで、請求項１に係る発明と引用例１記載の発明とを比較すると、
（１） 引用例１記載の発明の「移動体通信方式」、「スーパバイザリ・オーディオ・トーン信号」、「基地局」、「移動機」は、請求項１に係る発明の「移動電話システム」、「スーパーバイズ信号」、「ベースステーション」、「移動無線ステーション」に相当していると認められる。
（２） 引用例１記載の発明の、「移動機」は、「基地局」から送信された「スーパバイザリ・オーディオ・トーン信号」を受信波中から抽出、識別再生して、基地局に送り返し、「基地局」は、「移動機」から返送された「スーパバイザリ・オーディオ・トーン信号」の周波数、歪率、ジッタなどを測定して通信回線の品質状態を監視しており、「基地局」において、「スーパバイザリ・オーディオ・トーン信号」の識別がなされている。この「スーパバイザリ・オーディオ・トーン信号」は、移動機と基地局との間の回線品質が低下した場合に、他の基地局との通信への切換を行うものであると認められ、請求項１に係る発明の、ある「ベースステーション」からある「移動ステーション」に所定の周波数の「スーパーバイズ信号」を送信し、該「スーパーバイズ信号」を前記「移動ステーション」で中継し、前記１つの「ベースステーション」において前記受信された「スーパーバイズ信号」を識別するステップと同様のステップを有していると認められる。
　したがって、両者は以下の点で一致し、以下の点で相違していると認められる。
＜一致点＞
　移動電話システムおいてベースステーションにおけるスーパーバイズ信号を識別する方法であって、ベースステーションと移動無線ステーションとの間の無線連結の品質が異なる周波数の複数のスーパーバイズ信号によって モニターされる前記方法において、前記方法が
あるベースステーションからある移動ステーションに所定の周波数のスーパーバイズ信号を送信し、
　該スーパーバイズ信号を前記移動ステーションで中継し、
前記１つのベースステーションにおいて前記受信されたスーパーバイズ信号を識別するステップを有する方法である点。
＜相違点＞
（１）１つのベースステーションにおいて受信されたスーパーバイズ信号を識別するステップが、請求項１に係る発明では、所定の周波数に同調されたバンドパスフィルタによって受信されたスーパーバイズ信号を帯域濾波し、帯域濾波されたスーパーバイズ信号のレベルに基づいて識別するのに対し、引用例１記載の発明では、基地局側での返送されたスーパーバイズ信号の識別方法は明らかでない点。
（２）１つのベースステーションで識別するステップが、請求項１に係る発明では、スーパーバイズ信号のレベルを判別し、受信されたノイズのレベルを判別し、該スーパーバイズ信号のレベルと受信されたノイズのレベルとを比較し、スーパーバイズ信号のレベルの前記受信されたノイズのレベルに対する比が所定のしきい値を越える場合には、受信されたスーパーバイズ信号が所望のものであると認識するステップを有するのに対し、引用例１記載の発明では、基地局側での返送されたスーパーバイズ信号の識別方法は明らかでない点。
４．当審の判断
　上記（１）の点については、引用例１記載の発明においても、受信されたスーパーバイズ信号は、ベースステーション側でも、識別されていると認められ、また、所定の周波数に同調されたバンドパスフィルタによって受信された信号を帯域濾波し、帯域濾波された信号のレベルに基づいて信号を識別することは、周知慣用手段であると認められるから、この周知慣用手段をスーパーバイズ信号の識別に適用して、請求項１に係る発明の構成とすることに格別の困難性はないと認められる。
　上記（２）の点については、引用例２記載の発明において、ベースステーション側で通信に使用される信号を監視するために、信号のＳ／Ｎ比を用いることが示されており、また、Ｓ／Ｎ比を求めるためには、スーパーバイズ信号のレベルを判別し、受信されたノイズのレベルを判別し、スーパーバイズ信号のレベルと受信されたノイズのレベルとを比較し、スーパーバイズ信号のレベルの受信されたノイズのレベルに対する比、即ち、Ｓ／Ｎ比を算出することは当然のことであると認められるから、通信回線の品質を監視するための信号であるスーパーバイズ信号に対してもＳ／Ｎ比を算出するようにすることは、引用例２記載の発明から当業者が容易に想到し得ることであると認められる。
　また、請求項１に係る発明では、Ｓ／Ｎ比が所定の値を越える場合にその信号を所望のものと認識する点で、引用例２記載の発明のＳ／Ｎ比が低下したことを検出して、他の基地局への切替を行うものとは相違しているが、一般に、信号を検出する際に、ノイズに対して信号の値が大きい場合に、その信号を所望のものと認識すること、即ち、Ｓ／Ｎ比が所定のしきい値を越える場合にその信号を所望のものとして処理することは、むしろ、当然に行われる周知技術である（例えば、特開昭５８−３０２４５号公報、第１頁左下欄第１１行乃至第１５行、特許請求の範囲の記載をも参照のこと）と認められ、帯域濾波されたスーパーバイズ信号についても、そのＳ／Ｎ比が所定のしきい値を越える場合に、その信号を所望のものと認識するような構成とすることは、周知技術を参照して当業者が容易に想到し得ることに過ぎないと認められる。
５．むすび
　以上のとおりであるから、請求項１に係る発明は、引用例１、２記載の発明及び周知技術に基いて当業者が容易に発明をすることができたものと認められ、特許法第２９条第２項の規定により特許を受けることができない。　
　よって、結論のとおり審決する。